(57)【要約】【課題】適切な起動動作を行うことができる画像形成装置を提供すること目的とする。【解決手段】装置各要素を制御するコントローラ手段と、該コントローラ手段により起動が指示されるエンジン手段を有し、前記エンジン手段には、複数の周辺機が直列接続されるとともに、電源系統が前記コントローラ手段と前記エンジン手段とで分かれており、前記複数の周辺機には、前記エンジン手段より電源が供給される構成を備えた画像形成装置であって、前記エンジン手段は、前記複数の周辺機のおのおのについて、個別に起動指示を行うようにした。【選択図】        図１
2008307733.tif 000002
【特許請求の範囲】
【請求項１】
装置各要素を制御するコントローラ手段と、該コントローラ手段により起動が指示されるエンジン手段を有し、前記エンジン手段には、複数の周辺機が直列接続されるとともに、電源系統が前記コントローラ手段と前記エンジン手段とで分かれており、前記複数の周辺機には、前記エンジン手段より電源が供給される構成を備えた画像形成装置であって、
前記エンジン手段は、前記複数の周辺機のおのおのについて、個別に起動指示を行うようにしたことを特徴とする画像形成装置。
【請求項２】
前記エンジン手段は、電源容量とおのおのの周辺機の起動時の電力に応じて、起動順序が設定されていることを特徴とする請求項１記載の画像形成装置。
【請求項３】
前記エンジン手段は、電源投入時と省電力モードからの復帰時とで異なる起動順序が設定されていることを特徴とする請求項２記載の画像形成装置。
【発明の詳細な説明】
【技術分野】
【０００１】
本発明は、装置各要素を制御するコントローラ手段と、該コントローラ手段により起動が指示されるエンジン手段を有し、前記エンジン手段には、複数の周辺機が直列接続されるとともに、電源系統が前記コントローラ手段と前記エンジン手段とで分かれており、前記複数の周辺機には、前記エンジン手段より電源が供給される構成を備えた画像形成装置に関する。
【背景技術】
【０００２】
従来、複写機やネットワーク対応画像形成装置など、複数の周辺機、例えば、仕分け機や折り機などを接続可能な画像形成装置では、各周辺機の消費電力を制御することが可能な省電力モード制御手段を備え、複数接続されている周辺機から動作モードを取得後、動作のしかたを判断し各周辺機への動作モードを切り替えるようにしたものが提案されている。
【特許文献１】特開２００１−３１２３３７号公報
【特許文献２】特開２００４−３２６６１０号公報
【発明の開示】
【発明が解決しようとする課題】
【０００３】
しかしながら、周辺機の立ち上げは、接続機器の台数に関係なくエンジン手段が起動時に全周辺機を同時に起動していた。よって、同時に初期化動作が行われるために電力消費に影響を及ぼし、最大電力をオーバーすることもあった。
【０００４】
本発明は、かかる実情に鑑みてなされたものであり、適切な起動動作を行うことができる画像形成装置を提供すること目的とする。
【課題を解決するための手段】
【０００５】
本発明は、装置各要素を制御するコントローラ手段と、該コントローラ手段により起動が指示されるエンジン手段を有し、前記エンジン手段には、複数の周辺機が直列接続されるとともに、電源系統が前記コントローラ手段と前記エンジン手段とで分かれており、前記複数の周辺機には、前記エンジン手段より電源が供給される構成を備えた画像形成装置であって、前記エンジン手段は、前記複数の周辺機のおのおのについて、個別に起動指示を行うようにしたものである。
【０００６】
また、前記エンジン手段は、電源容量とおのおのの周辺機の起動時の電力に応じて、起動順序が設定されているものである。
【０００７】
また、前記エンジン手段は、電源投入時と省電力モードからの復帰時とで異なる起動順序が設定されているものである。
【発明の効果】
【０００８】
したがって、本発明によれば、直列に接続された複数の周辺機への起動指示を各々出来るようになるため、周辺機の種類や数に影響なく電力制御を行うことが可能となるという効果を得る。また、電力優先や時間優先などユーザーの要望にも応えることが可能となるという効果も得る。
【発明を実施するための最良の形態】
【０００９】
以下、添付図面を参照しながら、本発明の実施の形態を詳細に説明する。
【００１０】
図１は、本発明の一実施例にかかる画像形成装置の構成を例示したブロック図を示す。この画像形成装置は、待機時の電力を削減する等するための省エネモードの動作モードを備えている。
【００１１】
同図において、エンジン制御部２０は、ＣＰＵ（中央処理装置）２１と、ＣＰＵ２１を動作させるためのプログラムを格納するＲＯＭ（リード・オンリ・メモリ）２２、プログラム用ワークＲＡＭ（ランダム・アクセス・メモリ）２３、制御、タイミングなどの調整値及び登録した複写モード設定を格納し電源を切ってもデータを保持しておく事が可能な不揮発ＲＡＭ２４、及びデジタル複写機の各センサ３７の入力を元に、負荷３８などを制御する入出力制御２５などにより構成される。
【００１２】
そして、エンジン制御部２０とコントローラ制御部３０とは画像処理部３２を介して接続され、画像データのみならず、制御信号、ステータス信号についても画像処理部３２を介してやり取りする。装置の電源がオンされた場合にはエンジン制御部２０とコントローラ制御部３０の双方の初期化処理が終了することでコピー可能なレディ状態となる。
【００１３】
一方、画像データについては読取り部３５により画像データが読み取られ、読み取られた画像データは操作部１０に設定されたモードに応じて画像処理３２によりＭＴＦ補正、変倍処理、画質補正等を行った後で画像データ用ＲＡＭ３３及び磁気ディスク装置（ＨＤＤ）を制御するコントローラ３１を介して磁気ディスク装置３４に蓄えられる。
【００１４】
そして、複数部のコピーを取るような電子ソート機能を使う場合には、２部目以降のコピー動作を行う時に磁気ディスク装置３４から画像データを画像データ用ＲＡＭ３３にコピーしてコピー動作を行う事により電子ソート動作を実現する。また用紙がジャムしてしまった場合のリカバリ動作にも使用される。そして書込み部３６により給紙された用紙のタイミングに応じて書込みを行う。
【００１５】
また、コントローラ制御部３０には外部ホストと接続するためのネットワークコントロールユニット（ＮＣＵ）３９、公衆回線を介してファクシミリ機能を実現するためのファクシミリコントロールユニット（ＦＣＵ）４０を備えており、外部ＰＣからのプリントや、ファックス受信などがあった場合には、コントローラ３１により印字データに変換し、一旦磁気ディスク装置３４に蓄積して、画像処理部３２を経由して書き込み部３６に送ることで同様に印字を行なう。また、コントローラ制御部３０には、ユーザがこの画像形成装置を操作する際に使用するＵＩを構成する操作部１０が設けられている。
【００１６】
電源供給は、電源ユニット５０により、エンジン制御部２０とコントローラ制御部３０双方に供給され、周辺機４０へはエンジン制御部２０を通して供給される。また、周辺機４１，４２への電源は、周辺機４０より直列に供給される。
【００１７】
また、周辺機４０とエンジン制御部２０のＣＰＵ２１は電気的通信により接続され、ＣＰＵ２１より周辺機４０へ指示を通知し、周辺機４０は結果や状態をエンジン制御部２０側へ通知する。周辺機４１，４２への通信は周辺機４０より直列に接続される。
【００１８】
図２は、起動時に、エンジン制御部２０が周辺機４０，４１，４２を起動する際に実行する処理の概要を示している。
【００１９】
まず、立ち上げ時の周辺機初期化終了後「消費電力低減優先」または「立ち上げ時間短縮優先」かを判断する（判断１０１）。
【００２０】
判断１０１により、「立ち上げ時間短縮優先」と判断された場合は、全周辺機へ同時に起動指示を行う（処理１０６）。
【００２１】
また、判断１０１により、「消費電力低減優先」と判断された場合は、周辺機の接続種類の検知を行い（処理１０２）、立ち上げの種類（「主電源ＯＮからの立ち上げ」または「省エネからの復帰」）を判断する（処理１０３）。
【００２２】
そして、処理１０２，１０３で取得したデータＡ，Ｂに基づいて、起動の種類を、後述する「接続種類と起動のタイプ判断表」を参照して判断する（処理１０４）。次いで、処理１０４で選択した起動種類に沿った立ち上げタイミングで周辺機へ起動指示を行う（処理１０５）。
【００２３】
次に、起動のタイプについて説明する。
【００２４】
図３は、「接続種類と起動のタイプ判断表」の一例を示している。
【００２５】
そして、
条件１：消費電力低減
条件２：周辺機３台接続
の２つの条件に従って起動順序を設定した場合の、すなわち、タイプＤの場合の主電源オンからの起動態様の一例を図４に示す。
【００２６】
この場合、図３より選択した起動種類より、基準点からのトリガタイミングを判断し、トリガ１，２，３により、各周辺機４０，４１，４２へ起動指示を与える。
【００２７】
結果として、トリガごとに定着の電力配分を制御し消費電力を低減させることや最大電力を超えないように定着の電力を制御することが可能となる。
【００２８】
また、
条件１：消費電力低減
条件２：周辺機３台接続
条件３：省エネからの復帰
の３つの条件に従って起動順序を設定した場合の、すなわち、タイプＤの場合の省エネからの復帰時の起動態様の一例を図５に示す。
【００２９】
この場合も、図３より選択した起動種類より、基準点からのトリガタイミングを判断し、トリガ１，３により、各周辺機へ起動指示を与える。
【００３０】
結果として、図４に示した「主電源ＯＮからの立ち上げ」と、異なる制御態様を実現することが可能となり、省エネ復帰の場合は起動を行う必要のない周辺機が存在した場合は立ち上げ動作させないこともでき、また消費電力低減の場合においても時間短縮が可能となる。
【００３１】
図６は、立ち上げ時間短縮時の各周辺機への起動指示タイミングと定着の電力配分の態様の一例を示している。
【００３２】
この場合は、周辺機の初期化終了後各周辺機へ同時に起動指示を行う。
【００３３】
結果として、周辺機の起動終了は早く終了し、立ち上げ時間の短縮へつながる。
【００３４】
消費電力に影響が無い場合はこちらが有利となる。
【００３５】
図７は、「接続種類と起動のタイプ判断表」の他の例を示している。
【００３６】
この場合の
条件１：消費電力低減
条件２：周辺機２台接続
条件３：周辺機Ａ，Ｂが接続
の３つの条件に従って起動順序を設定した場合の、すなわち、タイプＢの起動種類の起動態様の一例を図８に示す。
【００３７】
この場合、図７より選択した起動種類より、基準点からのトリガタイミングを判断し、トリガ１，２により、各周辺機へ起動指示を与える。
【００３８】
結果として、トリガごとに定着の電力配分を制御し消費電力を低減させることや最大電力を超えないように定着の電力を制御することが可能となる。
【００３９】
また、図９は、
条件１：消費電力低減
条件２：周辺機２台接続
条件３：周辺機Ａ，Ｃが接続
の３つの条件に従って起動順序を設定した場合の、すなわち、タイプＣの起動種類の起動態様の一例を示している。
【００４０】
この場合、図７より選択した起動種類より、基準点からのトリガタイミングを判断し、トリガ１，２により、各周辺機へ起動指示を与える。
【００４１】
結果として、トリガごとに定着の電力配分を制御し消費電力を低減させることや最大電力を超えないように定着の電力を制御することが可能となる。
【００４２】
図８と図９とでは、接続されている周辺機数は同じであるが種類が異なるためにトリガのタイミングを変更することが可能である。
【００４３】
このように、本実施例では、直列に接続された複数の周辺機への起動指示を各々出来るようになるため、周辺機の種類や数に影響なく電力制御を行うことが可能となる。また、電力優先や時間優先などユーザーの要望にも応えることが可能となる。
【図面の簡単な説明】
【００４４】
【図１】本発明の一実施例にかかる画像形成装置の構成を例示したブロック図。
【図２】起動時に、エンジン制御部２０が周辺機４０，４１，４２を起動する際に実行する処理の概要を示したフローチャート。
【図３】「接続種類と起動のタイプ判断表」の一例を示した概略図。
【図４】主電源オンからの立ち上げ時の周辺機の立ち上げ態様の一例を示したタイムチャート。
【図５】省エネからの復帰時の周辺機の立ち上げ態様の一例を示したタイムチャート。
【図６】立ち上げ時間短縮時の周辺機の立ち上げ態様の一例を示したタイムチャート。
【図７】「接続種類と起動のタイプ判断表」の他の例を示した概略図。
【図８】起動種類タイプＢの場合の周辺機の立ち上げ態様の一例を示したタイムチャート。
【図９】起動種類タイプＣの場合の周辺機の立ち上げ態様の一例を示したタイムチャート。
【符号の説明】
【００４５】
２０  戦陣制御部
３０  コントローラ制御部
４０，４１，４２  周辺機
【図１】
2008307733.tif 000003
【図２】
2008307733.tif 000004
【図３】
2008307733.tif 000005
【図４】
2008307733.tif 000006
【図５】
2008307733.tif 000007
【図６】
2008307733.tif 000008
【図７】
2008307733.tif 000009
【図８】
2008307733.tif 000010
【図９】
2008307733.tif 000011